(57)【要約】【課題】  電力線を用いる通信の品質が悪化した場合において、品質悪化要因の推定を補助することを可能とする制御装置及び制御ブログラムを提供する。【解決手段】  制御装置は、需要家施設に設けられる電力線を用いる通信の品質を示す品質情報を取得する第１取得部と、電力線に接続される複数の機器の消費電力を示す情報である消費電力情報を取得する第２取得部と、品質情報に基づいて、電力線を用いる通信の品質を判断する制御部とを備える。制御部は、消費電力情報に基づいて、電力線を用いる通信の品質の悪化を引き起こす要因機器、或いは、要因機器が接続される要因分岐電力線を推定する。【選択図】  図２
2016140014.tif 000002
【特許請求の範囲】
【請求項１】
需要家施設に設けられる電力線を用いる通信の品質を示す品質情報を取得する第１取得部と、
前記電力線に接続される複数の機器の消費電力を示す情報である消費電力情報を取得する第２取得部と、
前記品質情報に基づいて、前記電力線を用いる通信の品質を判断する制御部とを備え、
前記電力線は、電力系統に接続される主幹電力線と、前記主幹電力線から分岐する複数の分岐電力線とを含み、
前記制御部は、前記消費電力情報に基づいて、前記電力線を用いる通信の品質の悪化を引き起こす要因機器、或いは、前記要因機器が接続される要因分岐電力線を推定することを特徴とする制御装置。
【請求項２】
前記制御部によって推定された前記要因機器或いは前記要因分岐電力線に関する情報を表示する表示部を備えることを特徴とする請求項１に記載の制御装置。
【請求項３】
前記第１取得部は、前記電力線を用いる通信を行う通信モジュールから、前記品質情報を取得することを特徴とする請求項１又は請求項２に記載の制御装置。
【請求項４】
前記第２取得部は、前記複数の分岐電力線の少なくともいずれかに接続された電力センサから、前記電力センサが接続された分岐電力線を介して消費される電力の情報を前記消費電力情報として取得することを特徴とする請求項１乃至請求項３のいずれかに記載の制御装置。
【請求項５】
前記第２取得部は、前記複数の機器の少なくともいずれかの対象機器から、前記対象機器で消費される電力の情報を前記消費電力情報として取得することを特徴とする請求項１乃至請求項３のいずれかに記載の制御装置。
【請求項６】
制御ブログラムであって、コンピュータに、
需要家施設に設けられる電力線を用いる通信の品質を示す品質情報を取得するステップαと、
前記電力線に接続される複数の機器の消費電力を示す情報である消費電力情報を取得するステップβと、
前記品質情報に基づいて、前記電力線を用いる通信の品質を判断するステップγとを実行させ、
前記電力線は、電力系統に接続される主幹電力線と、前記主幹電力線から分岐する複数の分岐電力線とを含み、
前記ステップγは、前記消費電力情報に基づいて、前記電力線を用いる通信の品質の悪化を引き起こす要因機器、或いは、前記要因機器が接続される要因分岐電力線を推定するステップを含むことを特徴とする制御ブログラム。
【発明の詳細な説明】
【技術分野】
【０００１】
本発明は、電力系統から需要家施設に供給される電力を示す情報を管理するための制御装置及び制御ブログラムに関する。
【背景技術】
【０００２】
近年、需要家施設に設けられる機器の電力を管理する電力管理システム（ＥＭＳ：Ｅｎｅｒｇｙ  Ｍａｎａｇｅｍｅｎｔ  Ｓｙｓｔｅｍ）が注目を浴びている。このような電力管理システムでは、機器の電力の情報を管理する電力管理装置が設けられる。
【０００３】
電力管理装置としては、住宅に設けられるＨＥＭＳ（ＨＯＭＥ  Ｅｎｅｒｇｙ  Ｍａｎａｇｅｍｅｎｔ  Ｓｙｓｔｅｍ）、ビルに設けられるＢＥＭＳ（Ｂｕｉｌｄｉｎｇ  Ｅｎｅｒｇｙ  Ｍａｎａｇｅｍｅｎｔ  Ｓｙｓｔｅｍ）、工場に設けられるＦＥＭＳ（Ｆａｃｔｏｒｙ  Ｅｎｅｒｇｙ  Ｍａｎａｇｅｍｅｎｔ  Ｓｙｓｔｅｍ）、店舗にＳＥＭＳ（Ｓｔｏｒｅ  Ｅｎｅｒｇｙ  Ｍａｎａｇｅｍｅｎｔ  Ｓｙｓｔｅｍ）等が挙げられる。
【０００４】
ここで、電力線を用いて１対の装置の間の通信を行う技術（ＰＬＣ：Ｐｏｗｅｒ  Ｌｉｎｅ  Ｃｏｍｍｕｎｉｃａｔｉｏｎ技術）が提案されている（例えば、特許文献１，２）。このようなＰＬＣ技術は、需要家施設に設けられる機器と電力管理装置との間の通信で用いられることも検討されている。
【先行技術文献】
【特許文献】
【０００５】
【特許文献１】国際公開第２００９／１３０９０５号
【特許文献２】特開２００８−１４１４５５号公報
【発明の概要】
【発明が解決しようとする課題】
【０００６】
ところで、上述したＰＬＣ技術では、需要家施設に設けられる機器又は電力管理装置に接続される通信モジュールは、電力線を用いる通信の品質を示す品質情報（ＬＱＩ；Ｌｉｎｋ  Ｑｕａｌｉｔｙ  Ｉｎｄｉｃａｔｏｒ）を算出するように構成されている。
【０００７】
このような背景下において、需要家施設に設けられる機器と電力管理装置との間の通信において、上述したＰＬＣ技術が利用される場合において、電力管理装置は、上述したＬＱＩによって電力線を用いる通信の品質を把握することができる。
【０００８】
しかしながら、電力管理装置は、電力線を用いる通信の品質を把握することができるが、電力線を用いる通信の品質が悪化した場合において、品質悪化要因を推定することができない。
【０００９】
そこで、本発明は、上述した課題を解決するためになされたものであり、電力線を用いる通信の品質が悪化した場合において、品質悪化要因の推定を補助することを可能とする制御装置及び制御ブログラムを提供することを目的とする。
【課題を解決するための手段】
【００１０】
第１の特徴は、制御装置であって、需要家施設に設けられる電力線を用いる通信の品質を示す品質情報を取得する第１取得部と、前記電力線に接続される複数の機器の消費電力を示す情報である消費電力情報を取得する第２取得部と、前記品質情報に基づいて、前記電力線を用いる通信の品質を判断する制御部とを備え、前記電力線は、電力系統に接続される主幹電力線と、前記主幹電力線から分岐する複数の分岐電力線とを含み、前記制御部は、前記消費電力情報に基づいて、前記電力線を用いる通信の品質の悪化を引き起こす要因機器、或いは、前記要因機器が接続される要因分岐電力線を推定することを要旨とする。
【００１１】
第２の特徴は、制御ブログラムであって、コンピュータに、需要家施設に設けられる電力線を用いる通信の品質を示す品質情報を取得するステップαと、前記電力線に接続される複数の機器の消費電力を示す情報である消費電力情報を取得するステップβと、前記品質情報に基づいて、前記電力線を用いる通信の品質を判断するステップγとを実行させ、前記電力線は、電力系統に接続される主幹電力線と、前記主幹電力線から分岐する複数の分岐電力線とを含み、前記ステップγは、前記消費電力情報に基づいて、前記電力線を用いる通信の品質の悪化を引き起こす要因機器、或いは、前記要因機器が接続される要因分岐電力線を推定するステップを含むことを要旨とする。
【発明の効果】
【００１２】
本発明によれば、電力線を用いる通信の品質が悪化した場合において、品質悪化要因の推定を補助することを可能とする制御装置及び制御ブログラムを提供することができる。
【図面の簡単な説明】
【００１３】
【図１】図１は、第１実施形態に係る需要家施設１０を示す図である。
【図２】図２は、第１実施形態に係るＥＭＳ４００を示す図である。
【図３】図３は、第１実施形態に係る制御方法を示すフロー図である。
【図４】図４は、変更例１を説明するための図である。
【発明を実施するための形態】
【００１４】
以下において、実施形態に係る制御装置について、図面を参照しながら説明する。なお、以下の図面の記載において、同一又は類似の部分には、同一又は類似の符号を付している。
【００１５】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１６】
［実施形態の概要］
実施形態に係る制御装置は、需要家施設に設けられる電力線を用いる通信の品質を示す品質情報を取得する第１取得部と、前記電力線に接続される複数の機器の消費電力を示す情報である消費電力情報を取得する第２取得部と、前記品質情報に基づいて、前記電力線を用いる通信の品質を判断する制御部とを備え、前記電力線は、電力系統に接続される主幹電力線と、前記主幹電力線から分岐する複数の分岐電力線とを含み、前記制御部は、前記消費電力情報に基づいて、前記電力線を用いる通信の品質の悪化を引き起こす要因機器、或いは、前記要因機器が接続される要因分岐電力線を推定する。
【００１７】
実施形態では、制御装置は、品質情報に基づいて、電力線を用いる通信の品質を判断するとともに、消費電力情報に基づいて、電力線を用いる通信の品質の悪化を引き起こす要因機器、或いは、要因機器が接続される要因分岐電力線を推定する。言い換えると、電力線を用いる通信の品質が悪化した場合において、要因機器或いは要因分岐電力線を推定することによって、電力線を用いる通信の品質の悪化要因の推定を補助することができる。
【００１８】
例えば、要因機器が推定されれば、制御装置が接続される電源コンセント（電力線）の位置の変更、或いは、可能であれば要因機器の消費電力の低減によって、電力線を用いる通信の品質を改善することができる。或いは、要因分岐電力線が推定されれば、制御装置が接続される電源コンセント（電力線）の位置の変更、或いは、可能であれば要因分岐電力線に接続される機器の消費電力の低減によって、電力線を用いる通信の品質を改善することができる。
【００１９】
［第１実施形態］
（需要家施設）
以下において、第１実施形態に係る需要家施設について説明する。図１は、第１実施形態に係る需要家施設１０の詳細を示す図である。
【００２０】
需要家施設１０は、分電盤１００と、スマートメータ２００と、ＥＭＳ４００とを有する。但し、スマートメータ２００及びＥＭＳ４００は、需要家施設１０の建物内に設けられる必要はないことに留意すべきである。さらには、ＥＭＳ４００と通信可能な表示装置５００が設けられる。
【００２１】
第１実施形態において、スマートメータ２００とＥＭＳ４００との間の通信は、需要家施設１０内に設けられる電力線を通信回線として用いる電力線搬送通信（例えば、ＰＬＣ；Ｐｏｗｅｒ  Ｌｉｎｅ  Ｃｏｍｍｕｎｉｃａｔｉｏｎ）によって行われる。スマートメータ２００とＥＭＳ４００との間の通信は、例えば、ＥＣＨＯＮＥＴ  Ｌｉｔｅ方式で行われる。
【００２２】
分電盤１００は、電力系統３０に接続されている。分電盤１００は、需要家施設１０に設けられる電力線３００に接続される。電力線３００は、電力系統３０に接続される主幹電力線３１０と、主幹電力線３１０から分岐する複数の分岐電力線３２０とを含む。分電盤１００は、主幹電力線３１０及び複数の分岐電力線３２０に接続されており、主幹電力線３１０を複数の分岐電力線３２０に分岐する。第１実施形態では、複数の分岐電力線３２０として、分岐電力線３２０１〜分岐電力線３２０８が例示されている。スマートメータ２００とＥＭＳ４００は、分岐電力線３２０Ｘによって接続される。分岐電力線３２０Ｘは、分岐電力線３２０１〜分岐電力線３２０８のいずれかであってもよく、主幹電力線３１０に直接的に接続されていてもよい。
【００２３】
ここで、複数の分岐電力線３２０のそれぞれは、需要家施設１０に設けられるエリア（例えば、居間、キッチンなどの部屋）に割り当てられており、様々な機器が接続される。機器は、冷蔵庫、照明、エアコン、テレビなどの負荷、太陽電池ユニット、蓄電池ユニット、燃料電池ユニット、貯湯ユニットなどを含む。
【００２４】
さらに、第１実施形態において、複数の分岐電力線３２０には、それぞれ、複数の電力センサ１１０（電力センサ１１０１〜電力センサ１１０８）が接続される。電力センサ１１０は、各分岐電力線３２０に接続される機器の消費電力を測定する。各電力センサ１１０とＥＭＳ４００との間の通信は、有線ＬＡＮなどの有線通信によって行われてもよく、無線ＬＡＮなどの無線通信によって行われてもよい。或いは、各電力センサ１１０とＥＭＳ４００との間の通信は、電力線搬送通信によって行われてもよい。
【００２５】
スマートメータ２００は、電力系統３０とから需要家施設１０に供給される電力を測定する。例えば、スマートメータ２００は、分電盤１００よりも電力系統３０側において主幹電力線３１０に接続されており、主幹電力線３１０を流れる電力の量を測定する。スマートメータ２００により測定された電力に基づいて需要家に対して課金が行なわれる。
【００２６】
第１実施形態において、スマートメータ２００は、電力線搬送通信によってメッセージをＥＭＳ４００に送信し、電力線搬送通信によってメッセージをＥＭＳ４００から受信する。例えば、電力系統３０とから需要家施設１０に供給される電力の情報である電力情報をＥＭＳ４００に送信する。電力情報は、一定期間（例えば、３０分）において需要家施設に供給される電力の積算値であってもよく、需要家施設に供給される電力の瞬時値であってもよい。
【００２７】
ＥＭＳ４００は、電力系統３０から需要家施設１０に供給される電力を示す電力情報を管理する制御装置の一例である。ＥＭＳ４００は、需要家施設１０内に設けられる電力線を通信回線として用いてスマートメータ２００と電力線搬送通信を行う。
【００２８】
表示装置５００は、例えば、各種情報を表示する端末である。表示装置５００は、ＥＭＳ４００と通信を行う機能を有することが好ましい。表示装置５００は、無線接続によってＥＭＳ４００と通信を行ってもよく、有線接続によってＥＭＳ４００と通信を行ってもよい。表示装置５００は、例えば、スマートフォン又はタブレット端末である。或いは、表示装置５００は、専用端末であってもよい。
【００２９】
（制御装置）
以下において、第１実施形態に係る制御装置について説明する。図２は、第１実施形態に係るＥＭＳ４００を示す図である。図２に示すように、ＥＭＳ４００は、通信部４１０と、制御部４２０と、表示制御部４３０とを有する。ＥＭＳ４００（通信部４１０）には、需要家施設内に設けられる電力線を通信回線として用いる電力線搬送通信（例えば、ＰＬＣ）を実現するためのモジュール５０が接続される。
【００３０】
通信部４１０は、電力線搬送通信によってメッセージをスマートメータ２００に送信し、電力線搬送通信によってメッセージをスマートメータ２００から受信する。通信部４１０は、各電力センサ１１０と通信を行う。
【００３１】
第１実施形態において、通信部４１０は、スマートメータ２００とＥＭＳ４００とを接続する分岐電力線３２０Ｘを用いる通信の品質を示す品質情報を取得する第１取得部を構成する。品質情報は、例えば、ＥＭＳ４００に接続されるモジュール５０によって生成されるＬＱＩ（Ｌｉｎｅ  Ｑｕａｌｉｔｙ  Ｉｎｄｉｃａｔｏｒ）である。通信部４１０は、分岐電力線３２０に接続される機器の消費電力を示す情報である消費電力情報を各電力センサ１１０から取得する第２取得部を構成する。
【００３２】
制御部４２０は、ＣＰＵ及びメモリによって構成されており、ＥＭＳ４００を制御する。具体的には、制御部４２０は、品質情報（例えば、ＬＱＩ）に基づいて、スマートメータ２００とＥＭＳ４００とを接続する分岐電力線３２０Ｘを用いる通信の品質を判断する。制御部４２０は、消費電力情報に基づいて、分岐電力線３２０Ｘを用いる通信の品質の悪化を引き起こす要因機器が接続される要因分岐電力線（分岐電力線３２０１〜分岐電力線３２０８のいずれか１つ以上）を推定する。
【００３３】
詳細には、制御部４２０は、分岐電力線３２０Ｘを用いる通信の品質が閾値よりも悪化した場合に、消費電力情報に基づいて、閾値よりも大きい消費電力の増大を引き起こす分岐電力線３２０を要因分岐電力線として推定する。これによって、分岐電力線３２０Ｘを用いる通信の品質の悪化を引き起こす要因分岐電力線が推定される。分岐電力線３２０に接続される機器が既知である場合には、分岐電力線３２０Ｘを用いる通信の品質の悪化を引き起こす機器を推定することも可能である。
【００３４】
表示制御部４３０は、要因分岐電力線に関する情報（以下、アラート情報）を表示する制御を行う。このような制御は、表示装置５００に情報を表示するための制御であり、表示装置５００に情報を表示するための表示データを生成する制御である。
【００３５】
第１実施形態では、表示装置５００に情報を表示するケースを例示しているが、ＥＭＳ４００がディスプレイを有している場合には、ＥＭＳ４００に設けられるディスプレイに情報（アラート情報）が表示されてもよい。
【００３６】
ここで、アラート情報は、要因分岐電力線を示す情報であってもよく、要因分岐電力線に複数の機器が接続されている場合には、要因分岐電力線に接続される機器の一覧を示す情報であってもよい。或いは、アラート情報は、ＥＭＳ４００を接続する電源コンセント（分岐電力線３２０Ｘ）の変更を指示する情報であってもよい。
【００３７】
（制御方法）
以下において、第１実施形態に係る制御方法について説明する。図３は、第１実施形態に係る制御方法を示すフロー図である。図３に示すフローは、ＥＭＳ４００によって実行される。
【００３８】
図３に示すように、ステップＳ１０において、ＥＭＳ４００は、スマートメータ２００とＥＭＳ４００とを接続する分岐電力線３２０Ｘを用いる通信の品質を示す品質情報を取得する。品質情報は、例えば、ＥＭＳ４００に接続されるモジュール５０によって生成されるＬＱＩ（Ｌｉｎｅ  Ｑｕａｌｉｔｙ  Ｉｎｄｉｃａｔｏｒ）である。
【００３９】
ステップＳ２０において、ＥＭＳ４００は、分岐電力線３２０に接続される機器の消費電力を示す情報である消費電力情報を各電力センサ１１０から取得する。
【００４０】
ステップＳ３０において、ＥＭＳ４００は、品質情報（例えば、ＬＱＩ）に基づいて、スマートメータ２００とＥＭＳ４００とを接続する分岐電力線３２０Ｘを用いる通信の品質を判断する。続いて、ＥＭＳ４００は、各電力センサ１１０から取得する消費電力情報に基づいて、分岐電力線３２０Ｘを用いる通信の品質の悪化を引き起こす要因機器が接続される要因分岐電力線（分岐電力線３２０）を推定する。
【００４１】
ステップＳ４０において、ＥＭＳ４００は、要因分岐電力線に関する情報（アラート情報）を表示する制御を行う。例えば、ＥＭＳ４００は、アラート情報を表示するための表示データを表示装置５００に出力する。
【００４２】
（作用及び効果）
第１実施形態では、ＥＭＳ４００は、品質情報（例えば、ＬＱＩ）に基づいて、分岐電力線３２０Ｘを用いる通信の品質を判断するとともに、消費電力情報に基づいて、分岐電力線３２０Ｘを用いる通信の品質の悪化を引き起こす要因機器が接続される要因分岐電力線（分岐電力線３２０１〜分岐電力線３２０８のいずれか１つ以上）を推定する。言い換えると、分岐電力線３２０Ｘを用いる通信の品質が悪化した場合において、要因分岐電力線を推定することによって、ＥＭＳ４００が接続される電源コンセント（分岐電力線３２０Ｘ）の位置の変更、或いは、可能であれば要因分岐電力線に接続される機器の消費電力の低減によって、分岐電力線３２０Ｘを用いる通信の品質を改善することができる。
【００４３】
［変更例１］
以下において、第１実施形態の変更例１について説明する。以下においては、第１実施形態に対する相違点について主として説明する。
【００４４】
第１実施形態では、ＥＭＳ４００は、各電力センサ１１０から取得する消費電力情報に基づいて、要因分岐電力線（分岐電力線３２０）を推定する。これに対して、変更例１では、ＥＭＳ４００は、分岐電力線３２０Ｘを用いる通信の品質の悪化を引き起こす要因機器を推定する。
【００４５】
具体的には、図４に示すように、分岐電力線３２０は、電源コンセント３５０によって終端されており、電源コンセント３５０には、機器９０（負荷など）が接続されたスマートタップ７０が差し込まれる。スマートタップ７０は、分岐電力線３２０から供給される電力を機器９０に供給するとともに、機器９０の消費電力を測定する。
【００４６】
変更例２において、ＥＭＳ４００（通信部４１０）は、スマートタップ７０と通信を行う。ＥＭＳ４００（通信部４１０）は、分岐電力線３２０に接続される機器の消費電力を示す情報である消費電力情報をスマートタップ７０から取得する第２取得部を構成する。
【００４７】
ここで、ＥＭＳ４００（制御部４２０）は、スマートタップ７０から消費電力情報に基づいて、分岐電力線３２０Ｘを用いる通信の品質の悪化を引き起こす要因機器（例えば、機器９０）を推定する。
【００４８】
続いて、ＥＭＳ４００（表示制御部４３０）は、要因機器に関する情報（アラート情報）を表示する制御を行う。例えば、ＥＭＳ４００は、アラート情報を表示するための表示データを表示装置５００に出力する。
【００４９】
ここで、アラート情報は、要因機器を示す情報であってもよく、要因機器が接続される分岐電力線３２０を示す情報であってもよい。或いは、アラート情報は、ＥＭＳ４００を接続する電源コンセント（分岐電力線３２０Ｘ）の変更を指示する情報であってもよい。
【００５０】
（作用及び効果）
変更例１では、ＥＭＳ４００は、品質情報（例えば、ＬＱＩ）に基づいて、分岐電力線３２０Ｘを用いる通信の品質を判断するとともに、消費電力情報に基づいて、分岐電力線３２０Ｘを用いる通信の品質の悪化を引き起こす要因機器（例えば、機器９０）を推定する。言い換えると、分岐電力線３２０Ｘを用いる通信の品質が悪化した場合において、要因機器を推定することによって、ＥＭＳ４００が接続される電源コンセント（分岐電力線３２０Ｘ）の位置の変更、或いは、可能であれば要因機器の消費電力の低減によって、分岐電力線３２０Ｘを用いる通信の品質を改善することができる。分岐電力線３２０に接続される機器が既知で有る場合に、要因機器が推定されれば、要因分岐電力線も推定可能であることに留意すべきである。
【００５１】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００５２】
実施形態では、品質情報は、モジュール５０から取得する電波通信品質（例えば、ＬＱＩ）である。しかしながら、実施形態は、これに限定されるものではない。具体的には、品質情報は、ＥＭＳ４００がスマートメータ２００にメッセージを送信してからＥＭＳ４００がスマートメータ２００から応答メッセージを受信するまでの時間間隔であってもよい。ＥＭＳ４００は、時間間隔が所定時間を超えた場合に、スマートメータ２００とＥＭＳ４００とを接続する分岐電力線３２０Ｘを用いる通信の品質が悪化したと判定することに留意すべきである。或いは、品質情報は、ＥＭＳ４００がスマートメータ２００にメッセージを送信してから経過した時間（以下、経過時間）がタイムアウト時間を超えたか否かであってもよい。ＥＭＳ４００は、経過時間がタイムアウト時間を超えた場合に、スマートメータ２００とＥＭＳ４００とを接続する分岐電力線３２０Ｘを用いる通信の品質が悪化したと判定する。
【００５３】
実施形態では、消費電力情報は、電力センサ１１０又はスマートタップ７０から取得される。しかしながら、実施形態は、これに限定されるものではない。例えば、ＥＭＳ４００と機器とが通信できる場合には、消費電力情報を機器から取得してもよい。
【００５４】
実施形態では、複数の分岐電力線３２０の全てに電力センサ１１０が接続されるケースを例示している。しかしながら、実施形態は、これに限定されるものではない。複数の分岐電力線３２０の少なくとも１つに電力センサ１１０が接続されていればよい。
【００５５】
実施形態では、１つの分岐電力線３２０にスマートタップ７０が設けられるケースを例示している。しかしながら、実施形態は、これに限定されるものではない。複数の分岐電力線３２０の全てにスマートタップ７０が設けられていてもよい。
【００５６】
実施形態では、制御装置としてＥＭＳ４００を例示した。しかしながら、実施形態は、これに限定されるものではない。制御装置は、表示装置５００であってもよい。このようなケースにおいて、表示装置５００は、品質情報及び消費電力情報を取得する機能を有する。表示装置５００は、品質情報及び消費電力情報をＥＭＳ４００から取得してもよい。或いは、表示装置５００は、品質情報をスマートメータ２００から直接的に取得するとともに、消費電力情報を電力センサ１１０又はスマートタップ７０から直接的に取得してもよい。
【００５７】
実施形態において、要因機器或いは要因分岐電力線が推定された場合に、ＥＭＳ４００が接続される電源コンセント（分岐電力線３２０Ｘ）を変更することによって、要因機器或いは要因分岐電力線の影響を低減してもよい。例えば、要因機器が接続される要因分岐電力線から主幹電力線３１０に至る経路から離れた位置を通る分岐電力線３２０に設けられる電源コンセントにＥＭＳ４００を接続することが好ましい。
【００５８】
上述したように、ＥＭＳ４００が接続される分岐電力線３２０を変更する場合には、ＥＭＳ４００の再認証手続を省略するために、ＥＭＳ４００の再認証を行う条件（例えば、タイムアウト時間やタイムアウト回数）を緩和する変更モードが導入されることが好ましい。
【００５９】
実施形態において、アラート情報を表示した場合であっても、ＥＭＳ４００が接続される電源コンセント（分岐電力線３２０Ｘ）が変更されない場合には、分岐電力線３２０Ｘを用いる通信において、再送回数の増大又は誤り訂正の強化を行ってもよい。
【００６０】
実施形態において、ＥＭＳ４００は、要因機器が推定された場合に、要因機器の型番なの情報をサーバにアップロードしてもよい。分岐電力線３２０Ｘを用いる通信に悪影響を与える機器に関する情報をサーバに蓄積することができる。サーバに蓄積された情報は、将来的にＥＭＳ４００を導入する事例などにおいて有用な情報である。
【００６１】
実施形態において、スマートメータ２００とＥＭＳ４００とを接続する分岐電力線３２０Ｘに接続された機器は、ＥＭＳ４００に事前に登録されていてもよい。
【００６２】
実施形態に係る制御装置（ＥＭＳ４００又は表示装置５００）が行う各処理をコンピュータに実行させるプログラムが提供されてもよい。また、プログラムは、コンピュータ読取り可能媒体に記録されていてもよい。コンピュータ読取り可能媒体を用いれば、コンピュータにプログラムをインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭやＤＶＤ−ＲＯＭ等の記録媒体であってもよい。
【００６３】
或いは、実施形態に係る制御装置が行う各処理を実行するためのプログラムを記憶するメモリ及びメモリに記憶されたプログラムを実行するプロセッサによって構成されるチップが提供されてもよい。
【００６４】
或いは、制御装置が行う各処理を実行するためのプログラムは、表示装置５００にインストール可能なアプリケーションであってもよい。
【符号の説明】
【００６５】
１０…需要家施設、３０…電力系統、５０…モジュール、７０…スマートタップ、９０…機器、１００…分電盤、１１０…電力センサ、２００…スマートメータ、３００…電力線、３１０…主幹電力線、３２０…分岐電力線、３５０…電源コンセント、４００…ＥＭＳ、４１０…通信部、４２０…制御部、４３０…表示制御部、５００…表示装置
【図１】
2016140014.tif 000003
【図２】
2016140014.tif 000004
【図３】
2016140014.tif 000005
【図４】
2016140014.tif 000006